(57)【要約】【課題】  ローラーがスリップしやいという不備を解決する。【解決手段】  このマッサージ器の巻取り機構は、本体、マッサージユニット、動力装置及び２本の本体ベルトを含み、本体には座部１個、固定ユニット２個及び背部１個、二つの固定ユニットには各レール１本、第一回転軸２個及び第二回転軸１個があり、マッサージユニットには第一モーター１個、第一モーター軸１個及びマッサージ器があり、側面の各回転ユニットには連結ブロック１個があり、動力装置には連結している第二モーター１個、第二モーター軸１個及びギヤユニット２個があり、この２個のギヤユニットにはそれぞれ噛合っている主動ギヤ１個及び２個の従動ギヤを含み、本体ベルトは連続的に主動ギヤ及び従動ギヤの嵌合部を通って、第一回転軸２個、第２回転軸の下部端面を経て繋ぎ、該当本体ベルトをレール２本にそって輪の状態にし、且つ、マッサージユニットの連結ブロック２個と一体になる。【選択図】図２
2019051301.tif 000002
【特許請求の範囲】
【請求項１】
マッサージ器の巻取り機構は、本体１個、マッサージユニット１個、動力装置１個及び本体ベルト２本を含み、
本体には、座部１個、固定ユニット２個及び背部１個があり、当該座部、固定ユニット及び背部を組み立てると本体の内部にスペースができ、且つ、この２個の固定ユニットはＬ形状で、それぞれ第一フレーム１個と第二フレーム１個が設けられ、当該第二フレームは後ろに節度傾けて、使用時にそれぞれ当該固定ユニットの第一フレーム及び第二フレームを用いて座席及び背もたれを提供し、
２個の固定ユニットの内側に頂点の端面部に近いところに、それぞれ第一フレーム及び第二フレームに沿って延伸し、レール１本を設け、前述固定ユニット上の第一回転軸に、前述２本のレールの前端の外側及び後端の外側にそれぞれ設けられる一つの回転ユニットを設置し、前述固定ユニットの第二回転軸に、中段曲がり部の上方にそれぞれ設けられる一つの回転ユニットを設置し、
マッサージユニットには、前述スペースに収められる第一モーター１個があり、この第一モーターの真ん中から両側に延伸する第一モーター軸が設けられ、第一モーター軸にマッサージ器がセッティングされ、両側の各回転ユニットには連結ブロックがあり、２本レールの天面を利用し、２個の連結ブロックのストッパーとする、前述のマッサージユニットを両レール上に載せ、２本のレール上で動力装置により本体ベルトの連動により往復に運行し、
動力装置には、前述スペースに収められる第二モーター１個があり、この第二モーターの真ん中から両側に延伸する第二モーター軸が設け、前述第二モーター軸の両端にはそれぞれギヤユニット１個と連結する、前述第二モーターの起動を利用し、前述第二モーター軸により当該ギヤユニット２個を連動させ、正方向または反対方向に持続的に回転させ、また、２個のギヤユニットにはそれぞれ前述第二モーター軸を連結とする主動ギヤがあり、前述主動ギヤの少なくても２箇所にそれぞれ１個従動ギヤを噛合っている、また、当該２個のギヤユニットの主動ギヤ及び従動ギヤが前述２本のレール下方にある固定ユニットに取り付けられ、
本体ベルトを前述２本のレールに沿って回転できるように、本体ベルトを連続的に前述主動ギヤ及び従動ギヤの噛合い部、２本の第一回転軸、第二回転軸の下の端面を巻き付け後につなぎ、当該２本の本体ベルトを及び前述マッサージユニットの２個連結ブロックを一体することにより、２本の本体ベルトがギヤユニット嵌合後に回転するときに同時に連動させ、前述マッサージユニットも一緒に運行させるマッサージ器の巻取り機構。
【請求項２】
座部、固定ユニット及び背部それぞれは１枚の底板、側板及び背部板である請求項１に記載されているマッサージ器の巻取り機構。
【請求項３】
前述本体のスペースには前述座部及び背部にそれぞれ１個第一ガイド部及び１個第二ガイド部を設け、この第一ガイド部及び第二ガイド部を利用し、マッサージユニット運行時に当該マッサージユニットの第一モーターに支えを提供する請求項１に記載されているマッサージ器の巻取り機構。
【請求項４】
前述第一回転軸と本体ベルトと接触する中段部位は若干凹んでいる請求項１に記載されているマッサージ器の巻取り機構。
【請求項５】
前述第二回転軸はベアリング内蔵で構成されて、当該第二回転軸が前述本体ベルトへの圧力を受ける請求項１に記載されているマッサージ器の巻取り機構。
【請求項６】
前述動力装置の第二モーターは前述本体の座部に固定する請求項１に記載されているマッサージ器の巻取り機構。
【請求項７】
主動ギヤ及び従動ギヤは星状のギヤである請求項１に記載されているマッサージ器の巻取り機構。
【請求項８】
前述主動ギヤの両側にそれぞれ突起するストッパー１枚がある請求項１に記載されているマッサージ器の巻取り機構。
【請求項９】
前述本体ベルトは扁平状の編みベルトである請求項１に記載されているマッサージ器の巻取り機構。
【発明の詳細な説明】
【技術分野】
【０００１】
本発明は、本発明は「マッサージ器の巻取り機構」に関連する一種の発明で、特に動力を確実に伝わる自走式マッサージ器である。
【背景技術】
【０００２】
従来のマッサージ装置が身体特定部位にしかマッサージできないという弱点を克服するために、本発明者が移動可能で上下移動が可能な摺動もみのマッサージ器のマッサージ構造を発明した。その構造については、第７図、８図に示し、または、本国特許登録番号Ｍ３７１０１４に記載したように、中には以下のものを含む：ストッパーフレーム（５０）１個及びマッサージユニット（６０）１個、そのなか、ストッパーフレーム（５０）の一端には開放部（５１）が設けられ、使用者がここから両足を入れ、他の一端及び両側には上へ折り曲げ、それぞれストップフレーム（５２）及びスライドレール（５３）を形成し、また２本のスライドレール（５３）の内側に各ローラーレール（５４）１本が設けられ、当該ローラーレール（５４）はスライドレールの中心より低く、ストップフレーム（５０）上方の表の中央には二つに分け且つ若干突起するモーターガイド（５５）を利用し、ここにモーターレール（５６）ができ、マッサージユニット（６０）にはモーター（６１）があり、モーター（６１）の真ん中を通って両側に延伸するセンター軸（６２）が設けられ、センター軸（６２）の延伸する両側にはそれぞれマッサージ器（６３）１個を固定し、当該２個のマッサージ器（６３）は偏心且つそれぞれ対称となるアーム（６３１）にそれの内側に設置するもみ玉（６３２）からなる。これらのもみ玉（６３２）はそれぞれアーム（６３１）の前、後ろに設置する。またモーター（６１）の底には小さめのストッパー（６１１）があり、センター軸（６２）の両側に内側から外へ順次にローラー（６４）１個及びベアリング（６５）１個があり、当該ローラー（６４）、ベアリング（６５）及びマッサージ器（６３）はすべてセンター軸（６２）の端部の欠けた部分に固定する。これによりセンター軸（６２）に連動され、マッサージユニット（６０）はストッパー（６１１）を利用し、ストップフレーム（５０）のモーターレール（５６）に嵌め込み、ローラー（６４）をローラーレール（５４）に載せ、ベアリング（６５）をスライドレール（５３）に載せることで、マッサージユニット（６０）をストップフレーク（５０）の開放部（５１）から丸ごと嵌め込める。マッサージユニット（６０）を取り付ける際に、ベアリング（６５）の上方の外周端面及びローラー（６４）の下方の外周端面はそれぞれスライドレール（５３）の天井面及びローラーレール（５４）の上と密接し、高、低の差を利用しストップの役割を果たす。マッサージユニット（６０）を取り付け後に、従動モーター（６１）からの電源コードを引き出し、ストップフレーム（５１）に接続する。モーター（６１）が作動するとき、センター軸（６２）によりマッサージ器（６３）及びローラー（６４）が回転され、マッサージユニット（６０）を移動させながら脚の多部位をマッサージすることができる。
【０００３】
本発明者は当該実用新案を開発後も、現状に満足せず、向上を重ね最善を尽くし、この構造を更に改善し、今以上に使いやすくになった；本発明者はその後の研究から、前述発明した機構にはローラー（６４）及びローラーレール（５４）だけに頼り、ローラー（６４）とローラーレール（５４）間に生じた摩擦抵抗によりマッサージユニット（６０）を連動させ、動力は確実に転送できない恐れがあり、ローラー（６４）及びマッサージユニット（６０）にスリップが生じやすくため、改善する必要がある。
【０００４】
本発明は申請する内容については、本発明者が前案に関連する機構に不備箇所について改良したものである。
【発明の概要】
【発明が解決しようとする課題】
【０００５】
解決しようとする技術問題：
主に本発明者が前回開発した周知のマッサージ装置に、ローラーがスリップしやいという不備に対し、改良し発明した。
【課題を解決するための手段】
【０００６】
問題解決ための技術特徴：
マッサージ器の巻取り機構には、以下のものを含む：本体１個、マッサージユニット１個、動力装置１個及び本体ベルト２本、そのうち：本体には座部１個、固定ユニット２個及び背部１個があり、当該座部、固定ユニット及び背部を組み立てると本体の内部にスペースができ、且つこの２個の固定ユニットはＬ形状で、それぞれ第一フレーム１個と第二フレーム１個が設けられ、当該第二フレームは後ろに節度傾けて、使用時にそれぞれ該当固定ユニットの第一フレーム及び第二フレームを用いて座席及び背もたれを提供する。また、２個の固定ユニットの内側に頂点の端面部に近いところに、それぞれ第一フレーム及び第二フレームに沿って延伸し、レール１本を設け、前述固定ユニット上の第一回転軸に、前述２本のレールの前端の外側及び後端の外側にそれぞれ設けられる一つの回転ユニットを設置し、前述固定ユニットの第二回転軸に、中段曲がり部の上方にそれぞれ設けられる一つの回転ユニットを設置する；マッサージユニットには前述スペースに収められる第一モーター１個があり、この第一モーターの真ん中から両側に延伸する第一モーター軸が設け、第一モーター軸にマッサージ器がセッティングされ、両側の各回転ユニットには連結ブロックがあり、２本レールの天面を利用し、２個の連結ブロックのストッパーとする、前述のマッサージユニットを両レール上に載せられ、２本のレール上で動力装置により本体ベルトの連動で往復に運行する；動力装置には前述スペースに収められる第二モーター１個があり、この第二モーターの真ん中から両側に延伸する第二モーター軸が設け、前述第二モーター軸の両端にはそれぞれギヤユニット１個と連結する、前述第二モーターの起動を利用し、前述第二モーター軸により当該ギヤユニット２個を連動させ、正方向または反対方向に持続的に回転させ、また、２個のギヤユニットにはそれぞれ前述第二モーター軸を連結とする主動ギヤがあり、前述主動ギヤの両側少なくても２箇所にそれぞれ１個従動ギヤが噛合っている、また、当該２個のギヤユニットの主動ギヤ及び従動ギヤが前述２本のレール下方にある固定ユニットに取り付けられている。本体ベルトを前述２本のレールにそって回転できるように、本体ベルトを連続的に前述主動ギヤ及び従動ギヤの嵌合部、２本の第一回転軸、第二回転軸の下の端面を巻き付け後につなぎ、当該２本の本体ベルトを及び前述マッサージユニットの２個連結ブロックを一体することにより、２本の本体ベルトがギヤユニット嵌合後に回転するときに同時に連動させ、前述マッサージユニットも一緒に運行させる；これにより、当該マッサージ器の巻取り機構が形成される。
【発明の効果】
【０００７】
前回技術と比べての効果：
発明の巻取り機構は、その動力装置がマッサージユニットの動きを連動させる際に、ギヤユニットの連続回転を利用し、主動ギヤ及び従動ギヤのかみ合いで本体ベルトを前進または後退させ、前述本体ベルトをレールにそって適当な回転させ、２本の本体ベルトとマッサージユニットの連結ブロック２個の結合により、本体ベルトが正、反方向回転時に同時にマッサージユニットをレール上に同方向に運行させ、ギヤの歯と歯の噛合いにより本体ベルトの進行を連動させ、これによりスリップ、ゆるみまたは前進しないなどの現象を有効的に防げる。
【図面の簡単な説明】
【０００８】
【図１】本発明の立体全体図
【図２】本発明の立体分解図
【図３】本発明の部分立体図及び拡大図
【図４】本発明平面図
【図５】本発明マッサージユニットの運行状態図
【図６】本発明マッサージユニットが人体の肩部位まで運行するときの使用状態図
【図７】従来機構の立体全体図
【図８】従来機構の立体分解図
【発明を実施するための形態】
【０００９】
審査委員会に本発明の目的、特徴及び機能を更に容易に理解してもらうため、下記の「図式簡略説明」に合わせ説明する：
【００１０】
本発明に基づき、まず図１から図４まで示したように、以下のものを含む：本体（１０）１個、マッサージユニット（２０）１個、動力装置（３０）１個及び本体ベルト（４０）２本、そのうち：本体（１０）には座部（１１）１個、固定ユニット（１２）２個及び背部（１３）１個があり、当該座部（１１）、固定ユニット（１２）及び背部（１３）を組み立てると本体（１０）の内部にスペース（１４）ができ、且つこの２個の固定ユニット（１２）はＬ形状で、それぞれ第一フレーム（１２１）１個と第二フレーム（１２２）１個が設けられ、当該第二フレーム（１２２）は後ろに節度傾けて、使用時にそれぞれ該当固定ユニット（１２）の第一フレーム（１２１）及び第二フレーム（１２２）を用いて座席及び背もたれを提供する。また、２個の固定ユニット（１２）の内側に頂点の端面部に近いところに、それぞれ第一フレーム（１２１）及び第二フレーム（１２２）に沿って延伸し、レール（１２３）１本を設け、前述固定ユニット（１２）上の第一回転軸（１５）に、前述２本のレール（１２３）の前端の外側及び後端の外側にそれぞれ設けられる一つの回転ユニットを設置し、前述固定ユニット（１２）の第二回転軸（１６）に、中段曲がり部の上方にそれぞれ設けられる一つの回転ユニットを設置する；マッサージユニット（２０）には前述スペース（１４）に収められる第一モーター（２１）１個があり、この第一モーター（２１）の真ん中から両側に延伸する第一モーター軸（２２）が設け、第一モーター軸（２２）にマッサージ器（２３）がセッティングされ、両側の各回転ユニットには連結ブロック（２４）があり、２本のレール（１２３）の天面を利用し、２個の連結ブロック（２４）のストッパーとする、前述のマッサージユニット（２０）を両レール（１２３）上に載せ、２本のレール（１２３）上で動力装置（３０）により本体ベルト（４０）の連動で往復に運行する。動力装置（３０）は前述スペース（１４）に収められる第二モーター（３１）１個があり、この第二モーター（３１）の真ん中から両側に延伸する第二モーター軸（３２）を設け、前述第二モーター軸（３２）の両端にはそれぞれギヤユニット（３３）１個と連結する。前述第二モーター（３１）の起動を利用し、前述第二モーター軸（３２）により当該ギヤユニット（３３）２個を連動させ、正方向または反対方向に持続的に回転させ、また、２個のギヤユニット（３３）にはそれぞれ前述第二モーター軸（３２）を連結とする主動ギヤ（３３１）があり、前述主動ギヤ（３３１）両側の少なくても２箇所にそれぞれ１個従動ギヤ（３３２）が噛合っている、また、当該２個のギヤユニット（３３）の主動ギヤ（３３１）及び従動ギヤ（３３２）が前述２本のレール（１２３）下方にある固定ユニット（１２）に取り付けられている。本体ベルト（４０）を前述２本のレール（１２３）に沿って回転できるように、本体ベルト（４０）を連続的に前述主動ギヤ（３３１）及び従動ギヤ（３３２）の嵌合部、２本の第一回転軸（１５）、第二回転軸（１６）の下の端面を巻き付け後につなぎ、当該２本の本体ベルト（４０）を及び前述マッサージユニット（２０）の２個連結ブロック（２４）を一体することにより、２本の本体ベルト（４０）がギヤユニット（３３）嵌合後に回転するときに同時に連動させ、前述マッサージユニット（２０）も一緒に運行させる。
【００１１】
本発明は一種マッサージ器の巻取り機構を提供する、そのなか、座部（１１）、固定ユニット（１２）及び背部（１３）それぞれは、１枚の底板、側板及び背部板である。
【００１２】
本発明は一種マッサージ器の巻取り機構を提供する、そのなか、前述本体（１０）のスペース（１４）には前述座部（１１）及び背部（１３）にそれぞれ第一ガイド部（１１１）１個及び第二ガイド部（１３１）１個を設け、この第一ガイド部（１１１）及び第二ガイド部（１３１）を利用し、マッサージユニット（２０）運行時に当該マッサージユニット（２０）の第一モーター（２１）に支えを提供する。
【００１３】
本発明は一種マッサージ器の巻取り機構を提供する、そのなか、前述第一回転軸（１５）と本体ベルト（４０）と接触する中段部位には側面方向への脱離を防止するために若干凹んでいる。
【００１４】
本発明は一種マッサージ器の巻取り機構を提供する、そのなか、前述第二回転軸（１６）はベアリング内蔵で構成されて、当該第二回転軸（１６）が前述本体ベルト（４０）への圧力を受ける。
【００１５】
本発明は一種マッサージ器の巻取り機構を提供する、そのなか、前述第一モーター（２１）と第二モーター（３１）は一つのモーターである。
【００１６】
本発明は一種マッサージ器の巻取り機構を提供する、そのなか、前述第一モーター（２１）と第二モーター（３１）にはそれぞれモーターと減速機を設けている。
【００１７】
本発明は一種マッサージ器の巻取り機構を提供する、そのなか、前述動力装置（３０）の第二モーター（３１）は前述本体（１０）の座部（１１）に固定する。
【００１８】
本発明は一種マッサージ器の巻取り機構を提供する、そのなか、前述主動ギヤ（３３１）及び従動ギヤ（３３２）は星状のギヤである。
【００１９】
本発明は一種マッサージ器の巻取り機構を提供する、そのなか、前述主動ギヤ（３３１）の両側にある突起物により本体ベルト（４０）に対しストッパーする。
【００２０】
本発明は一種マッサージ器の巻取り機構を提供する、そのなか、前述本体ベルト（４０）は扁平状の編みベルトである。
【００２１】
実際使用時に、マッサージユニット（２０）と動力装置（３０）の同時起動を利用し、動力装置（３０）がマッサージユニット（２０）を連動させ、人体の大腿部、臀部、腰部、背部、肩部、首に沿って上下往復循環マッサージする（同時に図５と図６を参照してください）、またはマッサージユニット（２０）だけを動かし、マッサージユニット（２０）を任意場所に停止させ、停止場所の定位置ではより強力マッサージができ、また前述動力装置（３０）がマッサージユニット（２０）を連動させる際に、ギヤユニット（３３）の連続回転を利用し主動ギヤ（３３１）及び従動ギヤ（３３２）のかみ合いにより本体ベルト（４０）を前進または後退させ、前述本体ベルト（４０）をレール（１２３）にそって適当な回転させ、２本の本体ベルト（４０）とマッサージユニット（２０）の連結ブロック（２４）２個の結合により、本体ベルト（４０）が正、反方向回転時に同時にマッサージユニット（２０）をレール（１２３）上に同方向に運行する。ギヤの歯と歯の噛合いにより本体ベルト（４０）の進行を連動させ、これによりスリップ、ゆるみまたは停止し前進しないことなどの現象を有効的に防げる。
【００２２】
以上述べた内容は、本発明の比較的によい実施事例の一つすぎない、これをもって本発明の実施範囲を限定することができない；本発明の特許範囲によって均等変化及び装飾は、本発明特許に含まれる範囲に属するとする。
【符号の説明】
【００２３】
本発明部分：
本体―――（１０）                      座部―――（１１）
第一ガイド―――（１１１）              固定ユニット―――（１２）
第一フレーム―――（１２１）            第二フレーム―――（１２２）
レール―――（１２３）                  背部―――（１３）
第二ガイド―――（１３１）              スペース―――（１４）
第一回転軸―――（１５）                第二回転軸―――（１６）
マッサージユニット―――（２０）        第一モーター―――（２１）
第一モーター軸―――（２２）            マッサージ器―――（２３）
連結ブロック―――（２４）                
動力装置―――（３０）                  第二モーター―――（３１）
第二モーター軸―――（３２）            ギヤユニット―――（３３）
主動ギヤ―――（３３１）                受動ギヤ―――（３３２）
本体ベルト―――（４０）
従来部分：
ガイドフレーム―――（５０）            開放部―――（５１）
ストッパーフレーム―――（５２）        スライドレール―――（５３）
ローラーレール―――（５４）            モーターガイド―――（５５）
モーターレール―――（５６）
マッサージユニット―――（６０）        モーター―――（６１）
ストッパー―――（６１１）              センター軸―――（６２）
マッサージ器―――（６３）              アーム―――（６３１）
もみ玉―――（６５）                    ローラー―――（６４）
ベアリング―――（６５）
【図１】
2019051301.tif 000003
【図２】
2019051301.tif 000004
【図３】
2019051301.tif 000005
【図４】
2019051301.tif 000006
【図５】
2019051301.tif 000007
【図６】
2019051301.tif 000008
【図７】
2019051301.tif 000009
【図８】
2019051301.tif 000010